(57)【要約】【課題】電気分解効率に優れる電解水生成装置を提供する。【解決手段】実施形態によれば、電解水生成装置は、陽極および陰極と、陽極に対向し陽極を覆う陽極室１５ｂと、陰極に対向し前記陰極を覆う陰極室と、を有する電解槽を備えている。電解槽は、陽極室内に設けられそれぞれ陽極に対向する複数の流路を備え、これら複数の流路は、水を前記陽極に接触した状態で第１流速で流す第１流路Ｐ１と、水を陽極に接触した状態で第１流速よりも早い第２流速で流す第２流路Ｐ２と、を有している。【選択図】図５
2018030042.tif 000002
【特許請求の範囲】
【請求項１】
陽極および陰極と、前記陽極に対向し前記陽極を覆う陽極室と、前記陰極に対向し前記陰極を覆う陰極室と、を有する電解槽を備え、
前記電解槽は、前記陽極室内に設けられそれぞれ前記陽極に対向する複数の流路を備え、前記複数の流路は、水を前記陽極に接触した状態で第１流速で流す第１流路と、水を前記陽極に接触した状態で前記第１流速よりも早い第２流速で流す第２流路と、を有している電解水生成装置。
【請求項２】
前記陽極において、前記第１流路に接する領域の面積は、前記第２流路に接する領域の面積よりも２倍以上大きい請求項１に記載の電解水生成装置。
【請求項３】
前記第２流路の流通方向と直交する方向の断面積は、前記第１流路の流通方向と直交する方向の断面積よりも大きい請求項１又は２に記載の電解水生成装置。
【請求項４】
前記第２流路の流通方向と直交する方向の断面積は、前記第１流路の流通方向と直交する方向の断面積よりも２倍以上大きい請求項３に記載の電解水生成装置。
【請求項５】
前記第１流路は、前記陽極の中央部に対向して設けられ、前記第２流路は、前記陽極の周縁部に対向している請求項１ないし４のいずれか１項に記載の電解水生成装置。
【請求項６】
前記第１流路は、前記陽極の中央部に対向して設けられ、それぞれ直線状に延びる複数の第１流路を含んでいる請求項１ないし５のいずれか１項に記載の電解水生成装置。
【請求項７】
前記複数の流路は、それぞれ前記陽極の中央部に対向して設けられ、それぞれ直線的に延びる複数の第１流路と、前記陽極の周縁部に対向して位置しているとともに、前記第１流路の両側に設けられた前記第２流路と、を有している請求項１ないし６のいずれか１項に記載の電解水生成装置。
【請求項８】
前記第１流路は、蛇腹状に連続して延在し、前記陽極の中央部に対向している請求項１ないし５のいずれか１項に記載の電解水生成装置。
【請求項９】
前記第２流路の幅は、前記第１流路の幅よりも小さく、前記第２流路の深さは、前記第１流路の深さよりも深い請求項１ないし８のいずれか１項に記載の電解水生成装置。
【請求項１０】
中間室と、前記中間室の一方に第１隔膜により仕切られ陽極を有する陽極室と、前記中間室の他方に第２隔膜により仕切られ陰極を有する陰極室と、を有し、前記中間室に電解液を流し、前記陽極室と陰極室に水を流して酸性水とアルカリ性水を生成する電解水生成装置において、
前記陽極室に複数の流路を設け、第１流路を主体となる流路とし、第２流路を断面積の大きい流路とすることを特徴とする電解水生成装置。
【発明の詳細な説明】
【技術分野】
【０００１】
本発明の実施形態は、電解水生成装置に関する。
【背景技術】
【０００２】
近年、水を電解して様々な機能を有する電解水、例えば、アルカリイオン水、オゾン水または次亜塩素酸水などを生成する電解水生成装置が提供されている。このような次亜塩素酸水を生成する電解水生成装置としては、１隔膜２室型電解槽や、２隔膜３室型電解槽を有する電解装置がある。１隔膜２室型の電解槽は、陽極を収納した陽極室と陰極を収納した陰極室とを特定イオンだけ通過させる隔膜で隔てて対向させた電解槽を備えている。１隔膜２室型電解槽は、電解質として、たとえば塩を混ぜた水を流水させ、陽極室で酸性水を、陰極室でアルカリ性水を生成するものである。酸性水としては、次亜塩素酸と塩酸を混合した水、アルカリ性水としては、水酸化ナトリウム水や溶存水素を含んだ水となる。
【０００３】
２隔膜３室型電解槽では、生成された酸性水およびアルカリ性水に塩分が混入するのを防ぐため、陽極室と陰極室との間に塩水などの電解液を満たした中間室を配置し、中間室と陽極室との間を陰イオン交換膜、中間室と陰極室との間を陽イオン交換膜で隔てている。そして、塩水から電解に必要な陰イオンあるいは陽イオンだけを陽極室あるいは陰極室に通過させる構造としている。
【先行技術文献】
【特許文献】
【０００４】
【特許文献１】特許第３２８７６４９号公報
【特許文献２】特許第３５００１７３号公報
【特許文献３】特許第３１１３６４５号公報
【特許文献４】特許第４０９０６６５号公報
【発明の概要】
【発明が解決しようとする課題】
【０００５】
このような電解水生成装置において、陽極室では、陰イオン交換膜を透過した塩素イオンが陽極と反応し塩素ガスを生成するが、塩素イオン濃度が低いと競合反応である酸素生成反応が起きてしまう。そのため、陽極近傍での塩素イオン濃度を高める必要がある。一方、陽極室を流れる水の流水速度が速いと、電極近傍の塩素イオンが反応に寄与できずに流されてしまう。その結果、塩素濃度の低下により十分な次亜塩素酸濃度が得られず、電気分解効率が低いという問題があった。
【０００６】
この発明は以上の点を鑑みてなされたものであり、その課題は、電気分解効率に優れる電解水生成装置を提供することにある。
【課題を解決するための手段】
【０００７】
実施形態によれば、電解水生成装置は、陽極および陰極と、前記陽極に対向し前記陽極を覆う陽極室と、前記陰極に対向し前記陰極を覆う陰極室と、を有する電解槽を備え、前記電解槽は、前記陽極室内に設けられそれぞれ前記陽極に対向する複数の流路を備え、前記複数の流路は、水を前記陽極に接触した状態で第１流速で流す第１流路と、水を前記陽極に接触した状態で前記第１流速よりも早い第２流速で流す第２流路と、を有している。
【図面の簡単な説明】
【０００８】
【図１】図１は、第１の実施形態に係る電解水生成装置を概略的に示すブロック図。
【図２】図２は、第１の実施形態に係る電解水生成装置の電解槽を示す斜視図。
【図３】図３は、前記電解槽の分解斜視図。
【図４】図４は、図２の線Ａ−Ａに沿った前記電解槽の断面図。
【図５】図５は、前記電解槽の陽極カバーを示す斜視図。
【図６】図６は、前記陽極カバーの一部を拡大して示す斜視図。
【図７】図７は、前記電解槽の陰極室内に設けられた流路および水の流れを概略的に示す前記陰極カバーの平面図。
【図８】図８は、陽極の流水量と有効塩素濃度の関係を示す図。
【図９】図９は、変形例に係る電解槽の陽極カバーを示す斜視図。
【発明を実施するための形態】
【０００９】
以下に、図面を参照しながら、種々の実施形態について説明する。なお、実施形態を通して共通の構成には同一の符号を付すものとし、重複する説明は省略する。また、各図は実施形態とその理解を促すための模式図であり、その形状や寸法、比などは実際の装置と異なる個所があるが、これらは以下の説明と公知の技術を参酌して適宜、設計変更することができる。
【００１０】
（第１の実施形態）  
図１は、第１の実施形態に係る電解槽を有する電解水生成装置全体の構成を概略的に示す図である。始めに、電解水生成装置全体の構成を説明する。図１に示すように、電解水生成装置は、いわゆる３室型の電解槽１１を備えている。電解槽１１は、偏平な矩形箱状に形成され、その内部は、陰イオン交換膜（第１隔膜）１６および陽イオン交換膜（第２隔膜）１８により、中間室１５ａと、中間室１５ａの両側に位置する陽極室１５ｂおよび陰極室１５ｃとに仕切られている。陽極室１５ｂ内に陽極１４が設けられ、陰イオン交換膜１６に対向している。陰極室１５ｃ内に陰極２０が設けられ、陽イオン交換膜１８に対向している。陽極１４および陰極２０は、ほぼ等しい大きさの矩形板状に形成され、中間室１５ａを挟んで、互いに対向している。
【００１１】
電解水生成装置は、電解槽１１の中間室１５ａに電解液、例えば、飽和塩水を供給する電解液供給部１９と、陽極室１５ｂおよび陰極室１５ｃに電解原水、例えば、水を供給する原水供給部２１と、陽極１４および陰極２０に正電圧および負電圧をそれぞれ印加する電源２３と、を備えている。
【００１２】
電解液供給部１９は、飽和塩水を生成する塩水タンク２５と、塩水タンク２５から中間室１５ａの下部に飽和塩水を導く供給配管１９ａと、供給配管１９ａ中に設けられた送液ポンプ２９と、中間室１５ａ内を流れた電解液を中間室１５ａの上部から塩水タンク２５に送る排水配管１９ｂと、を備えている。
【００１３】
原水供給部２１は、水を供給する図示しない給水源と、給水源から陽極室１５ｂおよび陰極室１５ｃの下部に水を導く給水配管２１ａと、陽極室１５ｂを流れた水を陽極室１５ｂの上部から排出する第１排水配管２１ｂと、陰極室１５ｃを流れた水を陰極室１５ｃの上部から排出する第２排水配管２１ｃと、第２排水配管２１ｃ中に設けられた気液分離器２７と、を備えている。
【００１４】
上記のように構成された電解水生成装置により、実際に塩水を電解して酸性水（次亜塩素酸および塩酸）とアルカリ性水（水酸化ナトリウム）を生成する動作について説明する。
【００１５】
図１に示すように、送液ポンプ２９を作動させ、電解槽１１の中間室１５ａに飽和塩水を供給するとともに、陽極室１５ｂおよび陰極室１５ｃに水を給水する。同時に、電源２３から正電圧および負電圧を陽極１４および陰極２０にそれぞれ印加する。中間室１５ａへ流入した塩水中において電離しているナトリウムイオンは、陰極２０に引き寄せられ、陽イオン交換膜１８を通過して、陰極室１５ｃへ流入する。そして、陰極室１５ｃにおいて、陰極２０で水が電気分解されて水素ガスと水酸化ナトリウム水溶液が生成される。このようにして生成された水酸化ナトリウム水溶液および水素ガスは、陰極室１５ｃから第２排水配管２１ｃに流出し、気液分離器２７により、水酸化ナトリウム水溶液と水素ガスとに分離される。分離された水酸化ナトリウム水溶液（アルカリ性水）は、第２排水配管２１ｃを通って排出される。
【００１６】
また、中間室１５ａ内の塩水中において電離している塩素イオンは、陽極１４に引き寄せられ、陰イオン交換膜１６を通過して、陽極室１５ｂへ流入する。そして、陽極１４にて塩素イオンが還元され塩素ガスが発生する。その後、塩素ガスは陽極室１５ｂ内で水と反応して次亜塩素酸と塩酸を生じる。このようにして生成された酸性水（次亜塩素酸水および塩酸）は、陽極室１５ｂから第１排水配管２１ｂを通って流出する。
【００１７】
次に、電解槽１１の構成をより詳細に説明する。図２は、電解槽の斜視図、図３は電解槽の分解斜視図、図４は図２の線Ａ−Ａに沿った電解槽の断面図である。  
図２ないし図４に示すように、電解槽１１は、隔壁として機能する矩形枠状の中間フレーム２２と、中間フレーム２２とほぼ等しい外径寸法を有し中間フレームの一側面を覆う矩形板状の陽極カバー（第１カバー部材）２４と、中間フレーム２２とほぼ等しい外径寸法を有し中間フレームの他側面を覆う矩形板状の陰極カバー（第２カバー部材）２６と、を有している。中間フレーム２２は、その内周面により中間室１５ａを形成している。陽極カバー２４は、その内面に形成された凹所により陽極室１５ｂを形成し、陰極カバー２６はその内面に形成された凹所により陰極室１５ｃを形成している。
【００１８】
中間フレーム２２の下端に、中間室１５ａに連通する第１流入口３４が形成され、上端に中間室１５ａに連通する第１流出口３６が設けられている。これら第１流入口３４および第１流出口３６に供給配管１９ａおよび排水配管１９ｂがそれぞれ接続される。
【００１９】
中間フレーム２２と陽極カバー２４との間に、中間室１５ａと陽極室１５ｂを隔てる第１隔膜として陰イオン交換膜１６が配置されている。陽極１４は、陽極室１５ｂ内に配置され、陰イオン交換膜１６に近接対向している。中間フレーム２２と陰極カバー２６との間に第２隔膜として陽イオン交換膜１８が配置され、この陽イオン交換膜１８は中間室１５ａと陰極室１５ｃを隔てている。陰極２０は陰極室１５ｃに配置され、陽イオン交換膜１８に近接対向している。
【００２０】
各構成部材間、すなわち、陽極カバー２４の周縁部と陽極１４の周縁部との間、陽極１４および陰イオン交換膜１６の周縁部と中間フレーム２２との間、中間フレーム２２と陰極２０および陽イオン交換膜１８の周縁部との間、および、陰極２０の周縁部と陰極カバー２６の周縁部との間に、水漏れを防止するための面状のシール材４０がそれぞれ配置されている。
【００２１】
各構成部材の周縁部を貫通して複数の固定ボルト５０が挿通され、例えば、陽極カバー２４側から挿通され、その先端部が陰極カバー２６から突出している。各固定ボルト５０の先端部にナット５２がねじ込まれている。締結部材としての固定ボルト５０およびナット５２により、各構成部材の周縁部同士が互いに締結され、中間室１５ａ、電極室１５ｂ、１５ｃの水密性を保持している。
【００２２】
次に、各構成部材についてより詳細に説明する。  
図２ないし図４に示すように、陰イオン交換膜１６および陽イオン交換膜１８は、それぞれ中間フレーム２２とほぼ等しい外径を有し、膜厚が約１００〜２００μｍ程度の薄い矩形平板状に形成されている。陰イオン交換膜１６および陽イオン交換膜１８は、特定のイオンのみを通過させる特性を有している。陰イオン交換膜１６および陽イオン交換膜１８の周縁部には、それぞれ固定ボルト５０を挿通する複数の貫通孔が形成されている。
【００２３】
陰イオン交換膜１６は、中間フレーム２２の片面側に対向して配置され、その周縁部は、シール材４０を介して、中間フレーム２２に密着している。同様に、陽イオン交換膜１８は、中間フレーム２２の他面側に対向して配置され、その周縁部は、シール材４０を介して、中間フレーム２２に密着している。なお、第１隔膜および第２隔膜は、イオン交換膜に限らず、透水性を有する多孔質膜を用いてもよい。
【００２４】
陽極１４および陰極２０は、厚さ１ｍｍ程度の金属製の平板で形成され、中間フレーム２２の外径とほぼ同一の外径を有する矩形状に形成されている。陽極１４および陰極２０の中央部（有効領域）には液体を通過させるための微細な貫通孔が形成され、電極の周縁部には固定ボルト５０を挿通するための複数の貫通孔が形成されている。陽極１４は、その一側縁から突出する接続端子１４ｂを有している。同様に、陰極２０は、その一側縁から突出する接続端子２０ｂを有している。接続端子１４ｂ、２０ｂは電源２３に接続される。
【００２５】
陽極１４は、陰イオン交換膜１６に対向して配置され、陰イオン交換膜１６に密着している。陰極２０は、陽イオン交換膜１８に対向して配置され、陽イオン交換膜１８に密着している。
【００２６】
図５は、陽極カバーの内面側を示す斜視図、図６は、陽極カバーの一部を拡大して示す斜視図である。図４ないし図６に示すように、陽極カバー２４は、陽極１４に対向する内面２４ａと、反対側の外面と、を有している。陽極カバー２４の内面２４ａに矩形状の凹所６０が形成され、この凹所６０により陽極室１５ｂを形成している。陽極室１５ｂにはそれぞれ水を流す複数の流路が設けられている。すなわち、凹所６０の底面に複数の直線状のリブ６４が立設され、例えば、鉛直方向（第２方向Ｙ）に延びている。これらのリブ６４は、互いに平行に、かつ、所定の間隔を置いて、設けられている。隣合う２つのリブ６４間に、それぞれ鉛直方向に延びる直線状の流通溝６５が形成されている。これら複数の流通溝６５は、陽極１４の中央部分に対向し、それぞれ水が流れる第１流路Ｐ１を形成している。流通溝６５の幅Ｗ１および深さＤ１は、例えば、Ｗ１：８ｍｍ、Ｄ１：２ｍｍとしている。これにより、第１流路Ｐ１の流通方向と直交する方向の断面積は約１６ｍｍ2である。
【００２７】
また、陽極室１５ｂにおいて、流通溝６５の左右端に隣接して拡大流通溝６６ｂが設けられている。これら拡大流通溝６６ｂは、陽極１４の周縁部に対向し、それぞれ水が流れる第２流路Ｐ２を形成している。拡大流通溝６６ｂの幅Ｗ２および深さＤ２は、例えば、Ｗ２：５ｍｍ、Ｄ２：８ｍｍとしている。これにより、第２流路Ｐ２の流通方向と直交する方向の断面積は約４０ｍｍ2であり、第１流路Ｐ１の断面積の２倍以上としている。
【００２８】
更に、陽極室１５ｂにおいて、流通溝６５と拡大流通溝６６ｂの端部には上下一対の横溝６６ａが形成されている。横溝６６ａは、陽極室１５ｂへの給水と排水を受ける部分であり、大きな容量を持たせることで水圧の緩衝部分となっている。これにより、横溝６６ａは、各流通溝６５間での流水量の差、および、左右の拡大流通溝６６ｂ間での流水量の差が無くなるように機能している。
【００２９】
陽極カバー２４の下部側面に第２流入口３７が形成され、下側の横溝６６ａの一端に連通している。陽極カバー２４の上部側面に第２流出口３８が形成され、上側の横溝６６ａの一端に連通している。これら第２流入口３７および第２流出口３８に給水配管２１ａおよび第１排水配管２１ｂがそれぞれ接続される。
【００３０】
図３および図４に示すように、本実施形態では、陰極カバー２６は、前述した陽極カバー２４と同様に構成されている。陰極カバー２６の側面下部に第３流入口３９が形成され陰極室１５ｃに連通している。陰極カバー２６の側面上部に第３流出口４１が形成され、陰極室１５ｃに連通している。これら第３流入口３９および第３流出口４１に給水配管２１ａおよび第２排水配管２１ｃがそれぞれ接続される。
【００３１】
以上のように構成された電解槽１１において、電解動作時、給水配管２１ａから第２流入口３７を通して陽極室１５ｂに供給された水は、図７に矢印で示すように、横溝６６ａ分に拡がり、第１流路Ｐ１と第２流路Ｐ２に分流する。このとき、上述したように第１流路Ｐ１の断面積が第２流路Ｐ２の断面積より相対的に小さいため、断面積比率に応じて第１流路Ｐ１で流水量が小さくなり、第２流路Ｐ２で流水量が大きくなるように分流する。すなわち、第１流路Ｐ１の流速は第２流路Ｐ２の流速より遅くなる。流入した水は、陽極１７に接触しながら第１流路Ｐ１および第２流路Ｐ２を通って流れた後、上側の横溝６６ａで合流し、第２流出口３８から第１排水配管２１ｂに送られる。
【００３２】
このように、陽極１４の大部分、特に、中央部分と対向する第１流路Ｐ１を通して比較的遅い第１流速（流水速度）で水を流すことにより、陰イオン交換膜を透過してきた塩素イオンが第１流路Ｐ１の流速に従って薄まり難くなり、すなわち、第１流路の濃度が第２流路を設けないときに比較して高まり、塩素ガスを効率的に生成することができる。一方、第２流路Ｐ２では逆に塩素イオン濃度が低くなり生成効率が低下するが、第１流路Ｐ１が陽極１４に接する面積に比べて第２流路Ｐ２が陽極１４に接する面積が小さいため、相対的に第１流路Ｐ１での生成効率向上効果が全体効率を支配することになる。また、第１流路Ｐ１と第２流路Ｐ２では濃度の違う次亜塩素酸水が得られるが、横溝６６ａにより混合され排出される。その結果、電気分解効率が向上し、充分な塩素濃度を有する次亜塩素酸水が得られる。また、第２流路Ｐ２は、流れる水の流速（流水速度）が早く、流量を大きくすることができる。そのため、主体となる第１流路Ｐ１の流速を小さくしつつ、陽極室１５ｂ内の水の全流量を充分な流量に保つことができ、あるいは、トータルの流量を増やすことができる。
【００３３】
図８は、第１流路Ｐ１を流れる水の流速（流量）と生成された酸性水の有効塩素濃度との関係を示している。本実施形態では、陽極室１５ｂに標準流量である６Ｌ／分の水を流した時に、第１流路Ｐ１を流れる水の流量と、断面積の大きい第２流路Ｐ２を流れる水の流量と、が異なる流路構造の陽極室を用いて、電解時の有効塩素濃度を測定した。
【００３４】
図８に示すように、第１流路Ｐ１を流れる水の流量が４Ｌ／ｍｉｎ以上と大きい場合、有効塩素濃度は７０％以下と低くなる。これは、陰イオン交換膜を透過した塩素イオンが陽極に移動したときに、第１流路に流れる水の流量が大きいと、塩素イオンがすぐに水で拡散してしまい、陽極近傍での塩素イオン濃度が低下するためである。陽極に定電流を流した時に、反応に必要な量の塩素イオンが不足すると、代わりに水酸化物イオンと反応して酸素ガスが発生する。次亜塩素酸の生成に寄与しない酸素ガスが大量に発生すると有効塩素濃度の生成効率が低下してしまう。
【００３５】
一方、図８に示すように、第１流路Ｐ１を流れる水の流量が４Ｌ／ｍｉｎ以下と少ない場合、有効塩素濃度は７０〜８０％と高くなる。これは、流量が少ないと、水による塩素イオンの拡散が小さいため、陽極近傍での塩素イオン濃度を高く維持できるためである。陽極に定電流を流した時、反応に必要な十分の量の塩素イオンがあれば、副反応である酸素ガス発生が抑えられ、有効塩素濃度の生成効率を高めることができる。
【００３６】
第１流路Ｐ１および第２流路Ｐ２に対向する陽極１４において、反応の主体となる第１流路Ｐ１に接する部分の面積は、断面積の大きい第２流路Ｐ２に接する部分の面積よりも２倍以上大きいことが望ましい。第１流路Ｐ１の陽極１４に接する面積の割合が相対的に大きくなることで、高濃度の塩素イオンと接する陽極面積が大きくなり、有効塩素濃度を上げることができる。
【００３７】
陽極室１５ｂ内を流れる水のトータル流量を増やすためには、第２流路Ｐ２の断面積を増やす必要があり、第２流路Ｐ２を形成している溝を深くすることで対応できる。溝深さＤ２を深くすることで、第２流路Ｐ２の断面積を大きくしつつ、陽極１４に接する面積を減らすことができる。これにより、相対的に、第１流路Ｐ１の陽極１４に接する面積を増やすことができ、次亜塩素酸水の生成効率を上げることができる。第２流路Ｐ２を形成している溝の断面積は、第１流路Ｐ１を形成している溝の断面積の２倍以上であることが好ましく、３倍以上であるとより望ましい。実施形態では、浅い第１流路Ｐ１の断面積を８ｍｍ×２ｍｍ＝１６ｍｍ2とし、深い第２流路の断面積を５ｍｍ×８ｍｍ＝４０ｍｍ2としている。また、流路溝の幅と深さの関係は、実施形態のように、第２流路Ｐ２において、第１流路Ｐ１よりも幅を狭く深さを深くしている。この場合、第２流路Ｐ２が陽極１４に接する面積を小さくし、第２流路Ｐ２の効率低下の影響を小さくすることができる。
【００３８】
断面積の大きい第２流路Ｐ２は、比較的塩素イオン濃度の低い陽極１４の周辺部に対向して設けられている。そのため、反応の主体となる第１流路Ｐ１を塩素イオン濃度の高い陽極１４の中央部に対向するように配置することができ、次亜塩素酸生成効率を上げることができる。第１流路Ｐ１の形状は、水流の抵抗を減らすために、直線状の流路であることが望ましい。
【００３９】
以上のことから、第１の実施形態によれば、陽極室を流れる水の流量を低減することなくイオン濃度を高くし、電気分解効率および電解水の生成効率が向上した電解水生成装置を提供することができる。
【００４０】
次に、変形例に係る電解水生成装置について説明する。なお、以下に説明する変形例において、前述した第１の実施形態と同一の部分には、同一の参照符号を付してその詳細な説明を省略し、第１の実施形態と異なる部分を中心に詳しく説明する。
【００４１】
図９は、変形例に係る電解水生成装置の陽極カバーを示す斜視図である。この図に示すように、変形例によれば、陽極カバー２４の陽極室１５ｂに設けられた第１流路Ｐ１は、蛇腹状に延びる１本の流通溝６５により形成されている。第１流路Ｐ１は、陽極１４のほぼ全域に接するように、陽極室１５ｂのほぼ全域に亘って延在している。また、第１流路Ｐ１の下端は、下側の横溝６６ａに連通している。第１流路Ｐ１の上端は、上側の横溝６６ａに連通している。
【００４２】
上記のように構成された変形例においても、前述した第１の実施形態と同様の作用効果を得ることができる。すなわち、第１流路Ｐ１を長さの長い一本の流路とした場合でも、第１流路Ｐを流れる水の流速を低くし流量を少なくすることができる。
【００４３】
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、電解槽は３室型に限定されることなく、陽極室を有するものであれば、２室型の構成としてもよい。電解液は塩水以外のものでもよく、生成する電解水も次亜塩素酸水以外の電解水でもよい。
【符号の説明】
【００４４】
１０…電解槽、１４…陽極、１５ａ…中間室、１５ｂ…陽極室、１５ｃ…陰極室、
１４…陽極、１６…陰イオン交換膜、１８…陽イオン交換膜、２０…陰極、
２２…中間フレーム（隔壁）、２４…陽極カバー（第１カバー部材）、
２６…陽極カバー（第２カバー部材）、４０…シール材、４０ａ…貫通孔、
４０ｂ…環状部、４０ｃ…連結部、５０…固定ボルト、５２…ナット、
７０…押圧リブ、７０ａ…円柱部、７０ｂ…連結部
【図１】
2018030042.tif 000003
【図２】
2018030042.tif 000004
【図３】
2018030042.tif 000005
【図４】
2018030042.tif 000006
【図５】
2018030042.tif 000007
【図６】
2018030042.tif 000008
【図７】
2018030042.tif 000009
【図８】
2018030042.tif 000010
【図９】
2018030042.tif 000011